(57)【要約】【課題】  リモコンコードを設定する際に、制御対象の照明機器にリモコンを向けてキーを押し、照明機器の点灯状態を確認する必要がなく、サイクル式とダイレクト式の２つのリモコン方式に対応することができる照明制御装置を提供すること。【解決手段】  リモコンコード設定モードにおいて、制御部７は、リモコンコード記憶部３に記憶された複数種類の照明機器のリモコンコードを、リモコン発光部３より順次切り替えて送信して、その後、照度検出部６によって室内の照度の変化が検出されたときに、当該リモコンコードをリモコンコード設定記憶部５に設定する。【選択図】        図１
2005317448.tif 000002
【特許請求の範囲】
【請求項１】
ネットワークを介して、コントローラとの間でデータの送受信を行なうネットワーク入出力手段と、
照明機器のリモコン受光部に対して、リモコンコードを送信するためのリモコン発光手段と、
前記照明機器の制御に用いられるリモコンコードを記憶するためのリモコンコード設定記憶手段と、
前記ネットワーク入出力手段が、前記コントローラから照明制御を行なうための信号を受信したときに、前記照明機器の制御を行なうための照明制御手段とを備え、
前記照明制御手段は、前記受信した信号に基づいて、前記リモコンコード設定記憶手段に記憶されたリモコンコードを前記リモコン発光手段より送信し、
複数種類の照明機器の、リモコンコードを含むリモコン信号データが、予め記憶されたリモコン信号データ記憶手段と、
前記照明機器が設置された室内の照度の変化を検出するための照度検出手段と、
前記照明機器の制御に用いられるリモコンコードを、前記リモコンコード設定記憶手段に設定する制御を行なうためのリモコンコード設定制御手段とをさらに備え、
前記リモコンコード設定制御手段は、
前記リモコン信号データ記憶手段に記憶された前記複数種類の照明機器のリモコンコードを、前記リモコン発光手段より順次切り替えて送信するためのリモコンコード送信手段を含み、
前記リモコンコード送信手段によってリモコンコードが送信された後、前記照度検出手段によって室内の照度の変化が検出されたときに、当該リモコンコードを前記リモコンコード設定記憶手段に設定する、照明制御装置。
【請求項２】
前記ネットワーク入出力手段が、前記コントローラからリモコンコードを設定する制御を開始するための信号を受信したときには、前記リモコンコード送信手段は、前記リモコン信号データ記憶手段に記憶された前記複数種類の照明機器のリモコンコードを、前記リモコン発光手段から順次送信する、請求項１に記載の照明制御装置。
【請求項３】
前記リモコン信号データ記憶手段に記憶されたリモコン信号データには、複数種類の照明機器のメーカ情報が含まれ、
前記リモコンコード送信手段は、前記ネットワーク入出力手段を介して前記コントローラから前記照明機器のメーカ情報を受信したときには、前記リモコン信号データ記憶手段に記憶されたリモコン信号データのうち、前記受信した照明機器のメーカのリモコンコードを選択して、順次送信する、請求項１に記載の照明制御装置。
【請求項４】
前記リモコン信号データ記憶手段に記憶されたリモコン信号データには、複数種類の照明機器の型番情報が含まれ、
前記リモコンコード送信手段は、前記ネットワーク入出力手段を介して前記コントローラから前記照明機器の型番情報を受信したときには、前記リモコン信号データ記憶手段に記憶されたリモコン信号データのうち、前記受信した照明機器の型番のリモコンコードを選択して、順次送信する、請求項１に記載の照明制御装置。
【請求項５】
前記リモコン信号データ記憶手段に記憶されたリモコン信号データには、複数種類のリモコンの型番情報が含まれ、
前記リモコンコード送信手段は、前記ネットワーク入出力手段を介して前記コントローラから前記リモコンの型番情報を受信したときには、前記リモコン信号データ記憶手段に記憶されたリモコン信号データのうち、前記受信したリモコンの型番のリモコンコードを選択して、順次送信する、請求項１に記載の照明制御装置。
【請求項６】
照明制御装置の電源が入力されたときに、前記リモコンコード設定記憶手段にリモコンコードが設定されているか否かを検出するリモコンコード設定検出手段をさらに備え、
前記リモコンコード設定検出手段によって、前記リモコンコード設定記憶手段にリモコンコードが設定されていないことが検出されたときには、前記リモコンコード送信手段は、前記リモコン信号データ記憶手段に記憶された前記複数種類の照明機器のリモコンコードを、前記リモコン発光手段から順次送信する、請求項１に記載の照明制御装置。
【発明の詳細な説明】
【技術分野】
【０００１】
本発明は、照明制御装置に関し、特に、メーカや型式が異なる種々のタイプの照明機器を操作する照明制御装置に関する。
【背景技術】
【０００２】
一般に、家電メーカ各社から販売されているリモコン機能付きの照明機器は、専用のリモコン送信機を使用するようになっている。そこで、複数の機器を１つのリモコンで対応できるようにするために、リモコン自体に多種のリモコンコードを記憶しておいて任意のリモコンコードを選択できるようにしたものが特許文献１に開示されている。
【０００３】
また、リモコンの方式としては、同一のリモコンコードを送信する度に点灯状態が「全灯」→「減灯」→「豆灯」→「消灯」→「全灯」…のように順送りされるサイクル式と、個別のリモコンコードによって点灯状態を直接切り替えることができるダイレクト式の２つの方式がある。
【特許文献１】特開２００２−２３１４６４号公報
【発明の開示】
【発明が解決しようとする課題】
【０００４】
しかしながら、特許文献１に記載のリモコンは、リモコンコードを設定する場合に、動作させる照明機器にリモコンを向けてキーを押し、実際の照明機器の点灯状態を確認しながら設定する必要があった。また、対応できるリモコンの方式は、サイクル式かダイレクト式のどちらかに限られており、全ての照明機器に対応できない等の問題があった。
【０００５】
本発明は、上記のような課題を解決するためになされたものであって、リモコンコードを設定する際に、動作させる照明機器にリモコンを向けてキーを押し、照明機器の点灯状態を確認する必要がなく、サイクル式とダイレクト式の２つのリモコン方式に対応することができる照明制御装置を提供することを目的とする。
【課題を解決するための手段】
【０００６】
この発明のある局面に係る照明制御装置は、ネットワークを介して、コントローラとの間でデータの送受信を行なうネットワーク入出力手段と、照明機器のリモコン受光部に対して、リモコンコードを送信するためのリモコン発光手段と、照明機器の制御に用いられるリモコンコードを記憶するためのリモコンコード設定記憶手段と、ネットワーク入出力手段が、コントローラから照明制御を行なうための信号を受信したときに、照明機器の制御を行なうための照明制御手段と、複数種類の照明機器の、リモコンコードを含むリモコン信号データが、予め記憶されたリモコン信号データ記憶手段と、照明機器が設置された室内の照度の変化を検出するための照度検出手段と、照明機器の制御に用いられるリモコンコードを、リモコンコード設定記憶手段に設定する制御を行なうためのリモコンコード設定制御手段とをさらに備える。
【０００７】
照明制御手段は、受信した信号に基づいて、リモコンコード設定記憶手段に記憶されたリモコンコードをリモコン発光手段より送信する。
【０００８】
リモコンコード設定制御手段は、リモコン信号データ記憶手段に記憶された複数種類の照明機器のリモコンコードを、リモコン発光手段より順次切り替えて送信するためのリモコンコード送信手段を含み、リモコンコード送信手段によってリモコンコードが送信された後、照度検出手段によって室内の照度の変化が検出されたときに、当該リモコンコードをリモコンコード設定記憶手段に設定する。
【０００９】
好ましくは、リモコンコード送信手段は、ネットワーク入出力手段が、コントローラからリモコンコードを設定する制御を開始するための信号を受信したときには、リモコン信号データ記憶手段に記憶された複数種類の照明機器のリモコンコードを、リモコン発光手段から順次送信する。
【００１０】
好ましくは、リモコン信号データ記憶手段に記憶されたリモコン信号データには、複数種類の照明機器のメーカ情報が含まれ、リモコンコード送信手段は、ネットワーク入出力手段を介してコントローラから照明機器のメーカ情報を受信したときには、リモコン信号データ記憶手段に記憶されたリモコン信号データのうち、受信した照明機器のメーカのリモコンコードを選択して、順次送信する。
【００１１】
好ましくは、リモコン信号データ記憶手段に記憶されたリモコン信号データには、複数種類の照明機器の型番情報が含まれ、リモコンコード送信手段は、ネットワーク入出力手段を介してコントローラから照明機器の型番情報を受信したときには、リモコン信号データ記憶手段に記憶されたリモコン信号データのうち、受信した照明機器の型番のリモコンコードを選択して、順次送信する。
【００１２】
好ましくは、リモコン信号データ記憶手段に記憶されたリモコン信号データには、複数種類のリモコンの型番情報が含まれ、リモコンコード送信手段は、ネットワーク入出力手段を介してコントローラからリモコンの型番情報を受信したときには、リモコン信号データ記憶手段に記憶されたリモコン信号データのうち、受信したリモコンの型番のリモコンコードを選択して、順次送信する。
【００１３】
好ましくは、照明制御装置の電源が入力されたときに、リモコンコード設定記憶手段にリモコンコードが設定されているか否かを検出するリモコンコード設定検出手段をさらに備え、リモコンコード設定検出手段によって、リモコンコード設定記憶手段にリモコンコードが設定されていないことが検出されたときには、リモコンコード送信手段は、リモコン信号データ記憶手段に記憶された複数種類の照明機器のリモコンコードを、リモコン発光手段から順次送信する。
【発明の効果】
【００１４】
本発明によれば、予め記憶された複数種類の照明機器のリモコンコードを、リモコン発光部より順次切り替えて送信し、照度検出部によって室内の照度の変化が検出されたときに、当該リモコンコードを実際の照明制御に用いられるリモコンコードとして設定するため、照明機器の点灯状態を実際に確認しながら設定する必要がない。したがって、リモコンコードの設定が容易になる。
【００１５】
また、サイクル式およびダイレクト式のどちらのリモコンの方式にも対応することができる。
【発明を実施するための最良の形態】
【００１６】
本発明の実施の形態について図面を参照しながら詳細に説明する。なお、図中同一または相当部分には同一符号を付してその説明は繰返さない。
【００１７】
図１は、本発明の実施の形態における照明制御装置１の構成例を示す図である。
【００１８】
図１を参照して、照明制御装置１は、ネットワーク入出力部２と、リモコン発光部３と、リモコンコード記憶部４と、リモコンコード設定記憶部５と、照度検出部６と、制御部７とを備える。
【００１９】
ネットワーク入出力部２は、ネットワークを介して、コントローラ８との間でデータの送受信を行なう。ネットワーク入出力部２は、ネットワークとの通信形態が有線の場合は通信媒体を結合するコネクタであり、また、無線の場合は電波を送受信する無線ユニットから成り、外部ネットワークと接続する機能を有する。
【００２０】
リモコン発光部３は、赤外線を放射する赤外線発光ダイオードで構成される。リモコン発光部３から、制御対象の照明機器のリモコン受光部に対してリモコンコードが送信される。
【００２１】
リモコンコード記憶部４は、ＲＯＭ（Read Only Memory）で構成される。リモコンコード記憶部４には、複数のメーカのリモコン信号データが、予め記憶されている。
【００２２】
図２は、リモコンコード記憶部４に保持されているリモコン信号データの一例を示す図である。
【００２３】
図２に示すように、リモコンコード記憶部４に記憶されているリモコン信号データは、リモコンコードと、そのデータフォーマットと、変調周波数と、リモコン方式情報とで構成され、データテーブルの形で保持されている。
【００２４】
リモコンコード設定記憶部５は、ＲＡＭ（Random Access Memory）またはＥＥＰＲＯＭ（Electrically Erasable and Programmable Read Only Memory）などの不揮発性メモリで構成される。リモコンコード設定記憶部５には、ユーザが、以下に詳細に説明するリモコンコード設定モードを実行することによって、実際の照明制御に使用されるリモコン信号データが書き込まれることになる。
【００２５】
なお、照明制御とは、照明機器をＯＮ／ＯＦＦさせたり、光量を調整させたりする制御をいう。
【００２６】
図４は、リモコン方式がサイクル式の場合の、リモコンコード設定記憶部５に保持されているリモコン信号データの例であり、図５は、リモコン方式がダイレクト式の場合の、リモコンコード設定記憶部５に保持されているリモコン信号データの例を示す図である。
【００２７】
照度検出部６は、照度センサにより構成され、照明機器が照明制御されることによる室内の照度の変化を検出するものである。リモコン方式がサイクル式の場合、リモコン発光部３からリモコンコードが送信されるごとに、「全灯」→「減灯」→「豆灯」→「消灯」→「全灯」…のように点灯状態が変化する。この場合、照度は基本的に減少する方向に変化し、「消灯」→「全灯」の時のみ照度が増加する。したがって、リモコン発光部３からリモコンコードが送信された後、照度が増加したことを検出すると、照明機器の照明がＯＮされたと判断することができる。
【００２８】
制御部７は、マイクロコンピュータにより構成され、照明制御装置１の一連の制御を行なうものである。
【００２９】
ここで、まず、本実施の形態において、照明制御装置１における制御部７が、対象の照明機器に対して行なう照明制御について、簡単に説明する。
【００３０】
ネットワーク入出力部２が、コントローラ８から照明の照明制御を行なうための信号（以下「照明制御信号」という）を受信すると、制御部７は、リモコンコード設定記憶部５に設定されているリモコンコードを読み出す。そして、読み出したリモコンコードを、リモコン発光部３から送信させる。そうすることで、制御部７は、照明装置の照明制御を行なう。
【００３１】
次に、本実施の形態において、照明制御装置１における制御部７が、実際の照明制御に使用するリモコンコードを設定する制御を行なう、リモコンコード設定モードについて、説明する。
【００３２】
なお、リモコンコード設定モードを実行するためには、最初に、対象の照明機器を、壁スイッチや付属リモコン等で消灯状態にしておいてから開始する。
【００３３】
図６は、リモコンコード設定モードにおいて、制御部７が、リモコンコード記憶部４に保持されているリモコンコードの中から、照明機器を点灯させるリモコンコードを探す手順を示すフローチャートである。
【００３４】
制御部７は、リモコンコード記憶部４に保持されているリモコンコードの中から１つを選び、そのリモコンコードをリモコン発光部３から送信する（ステップＳ０１）。リモコンコードの送信後、照度検出部６により照度を検出する（ステップＳ０２）。照度検出部６によって照度の増加が検出されるまで、次のリモコンコードに切り替えて、リモコンコードをリモコン発光部３より送信する（ステップＳ０３においてＮＯ、ステップＳ０４）。そして、照度検出部６によって、照度の増加が検出されれば（ステップＳ０３においてＹＥＳ）、制御部７は、そのリモコンコードを、リモコンコード設定記憶部５に設定する（ステップＳ０５）。
【００３５】
このようにして、対象の照明機器を点灯させるリモコンコードを探し出したら、次に、リモコンコード設定記憶部５に設定したリモコンコードが、サイクル式かダイレクト式かを判断する（ステップＳ０６）。
【００３６】
図７は、リモコンコード設定モードにおいて、制御部７が、設定したリモコンコードの方式を判断する手順を示すフローチャートである。
【００３７】
まず、制御部７は、リモコンコード記憶部４を参照し、設定したリモコンコードのリモコン方式情報を確認する（ステップＳ１１）。設定したリモコンコードの方式が、リモコンコード記憶部４でダイレクト式として保持されていても、照明機器によっては、ダイレクト式のＯＮ信号のコードが他の機器ではサイクル式の順送りのコードとして使われている場合がある。
【００３８】
そこで、制御部７は、リモコンコード設定記憶部５に設定したリモコンコードに対応しているＯＦＦ信号のリモコンコードを、リモコンコード記憶部４より読み出して、リモコン発光部３より送信する（ステップＳ１２）。その後、再度、設定済みのリモコンコード（ＯＮ信号）を送信する（ステップＳ１３）。設定済みのリモコンコードの送信後、制御部７は、照度検出部６により照度を検出する（ステップＳ１４）。照度検出部６によって、照度の増加が検出されれば（ステップＳ１４においてＹＥＳ）、上記の動作で照明状態が消灯→点灯と変化したと判定される。したがって、制御部７は、リモコンコード設定記憶部５に設定されているリモコンコードをダイレクト式のＯＮ信号として設定し、上記ＯＦＦ信号を示すリモコンコードをダイレクト式のＯＦＦ信号として設定し、リモコンコード設定モードを終了する（ステップＳ１５）。
【００３９】
一方、照度検出部６によって、照度の増加が検出されない場合（ステップＳ１４においてＮＯ）、または、リモコンコード記憶部４の参照結果がサイクル式として保持されていた場合（ステップＳ１１においてＮＯ）は、制御部７は、リモコンコード設定記憶部５にそのリモコンコードをサイクル式として設定する(ステップＳ１６）。
【００４０】
サイクル式の場合、照明機器によってサイクル数が異なる。たとえば、同一のリモコンコードを送信する度に、点灯状態が「全灯」→「減灯」→「豆灯」→「消灯」→「全灯」…のように４種類の状態に切り替わる４サイクル式や、「全灯」→「消灯」→「全灯」…のように２種類の状態に切り替わる２サイクル式などがある。
【００４１】
そこで、制御部７は、設定したリモコン方式がサイクル式であったときには、次に、対象の照明機器のサイクル数を計測する（ステップＳ１７）。
【００４２】
このように、リモコンコード設定モードにおいて、制御部７は、リモコンコード設定記憶部５に設定したリモコンコードの方式が、ダイレクト式かサイクル式かを判断し、その判断されたリモコン方式を、リモコンコード設定記憶部５に設定する機能を有する。
【００４３】
図８は、リモコンコード設定モードにおいて、リモコンコードがサイクル式の場合に、制御部７が、サイクル数を計測する手順を示すフローチャートである。
【００４４】
まずはじめに、現在の照明の状態が不明であるので、一度全灯状態にする。そのため、制御部７は、設定したリモコンコードを送信し（ステップＳ２１）、その後、照度検出部６により照度を検出する（ステップＳ２２）。このようなリモコンコードの送信と照度の検出を、照度の増加があるまで繰り返す（ステップＳ２２においてＮＯ）。そして、照度検出部６によって照度の増加が検出されたら（ステップＳ２２においてＹＥＳ）、制御部７は、現在全灯状態になっていると判断する。
【００４５】
次に、再度、照度検出部６によって照度の増加が検出されるまで、制御部７は、設定したリモコンコードの送信（ステップＳ２３）と照度の検出（ステップＳ２５）を繰り返す。このとき、リモコンコードを送信する度に、リモコンコードの送信回数をカウントする（ステップＳ２４）。
【００４６】
照度検出部６によって照度の増加が検出されると（ステップＳ２５においてＹＥＳ）、制御部７は、ステップＳ２４においてカウントしたリモコンコードの送信回数をサイクル数として判断する。そして、そのサイクル数をリモコンコード設定記憶部５に設定し（ステップＳ２６）、リモコンコード設定モードを終了する。
【００４７】
このように、リモコンコード設定モードにおいて、制御部７は、リモコンコード設定記憶部５に設定したリモコンコードの方式がサイクル式であるときに、照明機器を点灯させてから次に点灯されるまでのサイクル数を計測し、その計測されたサイクル数を、リモコンコード設定記憶部５に設定する機能をさらに有する。
【００４８】
上述のようなリモコンコード設定モードを終了すると、リモコンコード設定記憶部５には、図４および図５に示すようなリモコン信号データが記憶されることになる。
【００４９】
このようにして、リモコンコード設定記憶部５に、リモコン信号データが記憶されていれば、制御部７は、コントローラ８からの照明制御信号に基づき、対象の照明機器の制御を行なうことができる。
【００５０】
上記のようなリモコンコード設定モードを実行するタイミングとしては、コントローラ８から照明制御装置１への指令内容として、照明制御指令の他にリモコンコード設定モード移行指令を設けてもよい。そうすると、コントローラ８からリモコンコード設定モード移行指令を受信することでリモコンコード設定モードを実行することができる。
【００５１】
これにより、制御対象の照明機器が変わった場合でも、随時リモコンコードの設定を変更することができるようになる。
【００５２】
また、上記リモコンコード設定モードを実行する時に、コントローラ８からのリモコンコード設定モード移行指令の中に、種々の情報を含ませてもよい。
【００５３】
図３は、リモコンコード記憶部４に保持されているリモコン信号データの他の例を示す図である。
【００５４】
（１）リモコンコード設定モード移行指令の中に、照明機器のメーカ情報を含ませる。
【００５５】
この場合、リモコンコード記憶部４に保持されるリモコン信号データとして、リモコンコードとそのデータフォーマットと変調周波数とリモコン方式情報と共に照明機器のメーカ情報も保持するようにする。
【００５６】
そうすると、上記リモコンコード設定モードにおいて、コントローラ８から照明機器のメーカ情報を受信すると、制御部７は、最初にリモコンコード記憶部４に保持されているリモコンコードの中から照明機器を点灯させるリモコンコードを探す時に、受信した照明機器のメーカ情報と一致するリモコンコードのみを選択して送信すればよい。したがって、リモコンコードを探す時間を短縮することができるようになる。
【００５７】
（２）リモコンコード設定モード移行指令の中に、照明機器の型番情報を含ませる。
【００５８】
この場合、リモコンコード記憶部４に保持されるリモコン信号データとしてリモコンコードとそのデータフォーマットと変調周波数とリモコン方式情報と共に照明機器の型番情報も保持するようにする。
【００５９】
そうすると、上記リモコンコード設定モードにおいて、コントローラ８から照明機器の型番情報を受信すると、制御部７は、最初にリモコンコード記憶部４に保持されているリモコンコードの中から照明機器を点灯させるリモコンコードを探す時に、受信した照明機器の型番情報と一致するリモコンコードのみを選択して送信すればよい。したがって、リモコンコードを探す時間を短縮することができるようになる。
【００６０】
（３）リモコンコード設定モード移行指令の中に、リモコンの型番情報を含ませる。
【００６１】
この場合、リモコンコード記憶部４に保持されるリモコン信号データとして、リモコンコードとそのデータフォーマットと変調周波数とリモコン方式情報と共にリモコンの型番情報も保持するようにする。
【００６２】
そうすると、上記リモコンコード設定モードにおいて、コントローラ８からリモコンの型番情報を受信すると、制御部７は、最初にリモコンコード記憶部４に保持されているリモコンコードの中から照明機器を点灯させるリモコンコードを探す時に、受信したリモコンの型番情報と一致するリモコンコードのみを選択して送信すればよい。したがって、リモコンコードを探す時間を短縮することができるようになる。
【００６３】
また、リモコンコード設定モードを実行するタイミングとしては、リモコンコード設定記憶部５にリモコンコードが設定されていない場合に、自動的にリモコンコード設定モードを実行するようにしてもよい。
【００６４】
この場合、制御部７は、リモコンコード設定記憶部５にリモコンコードが設定されているか否かを検出する機能をさらに有する。
【００６５】
最初は、リモコンコード設定記憶部５には何も設定されていない状態であるため、これにより、照明制御装置１に電源を投入するだけで自動的にリモコンコードの設定をすることができるようになる。
【００６６】
なお、本実施の形態においては、照明制御装置１は、コントローラ８からの信号に基づいて制御されることとしたが、ネットワークを介して送受信されるものであればコントローラに限られない。
【００６７】
また、リモコンコード設定モードにおいて、リモコンコードの設定と、リモコンコードの方式の判断と、リモコン方式がサイクル式であった場合のサイクル数の計測とを、順次行なうこととしたが、このような順序に限られない。たとえば、リモコンコードのみを設定することとしてもよいし、リモコンコードの設定の後、リモコン方式の判断を行なわずにサイクル数の計測を行なうこととしてもよい。
【００６８】
また、本実施の形態においては、照明機器を消灯しておいてからリモコンコード設定モードを開始することとしたが、照明装置をはじめに点灯させておいて、照度検出部６によって照度が低下したことを検出することによってリモコンコードを設定することとしてもよい。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本発明の実施の形態における照明制御装置の構成例を示す図である。
【図２】リモコンコード記憶部に保持されているリモコン信号データの一例を示す図である。
【図３】リモコンコード記憶部に保持されているリモコン信号データの他の例を示す図である。
【図４】リモコン方式がサイクル式の場合の、リモコンコード設定記憶部に保持されているリモコン信号データの例を示す図である。
【図５】リモコン方式がダイレクト式の場合の、リモコンコード設定記憶部に保持されているリモコン信号データの例を示す図である。
【図６】リモコンコード設定モードにおいて、リモコンコード記憶部に保持されているリモコンコードの中から、照明機器を点灯させるリモコンコードを探す手順を示すフローチャートである。
【図７】リモコンコード設定モードにおいて、リモコンコードの方式を判断する手順を示すフローチャートである。
【図８】リモコンコード設定モードにおいて、リモコンコードがサイクル式の場合のサイクル数を判断する手順を示すフローチャートである。
【符号の説明】
【００７１】
１  照明制御装置、２  ネットワーク入出力部、３  リモコン発光部、４  リモコンコード記憶部、５  リモコンコード設定記憶部、６  照度検出部、７  制御部、８  コントローラ。
【図１】
2005317448.tif 000003
【図２】
2005317448.tif 000004
【図３】
2005317448.tif 000005
【図４】
2005317448.tif 000006
【図５】
2005317448.tif 000007
【図６】
2005317448.tif 000008
【図７】
2005317448.tif 000009
【図８】
2005317448.tif 000010